(57)【要約】      （修正有）【課題】折り畳み容易であって、折り畳む際の手を挟むといった危険を回避でき、立て看板に設置容易であり、それでいて外れにくい構造により立て看板の安定性を向上させることができる新規の立て看板脚部幅固定用連結具を提供する。【解決手段】立て看板の脚部幅固定用連結具１は、左右一対の架橋部材２と、前記左右一対の架橋部材２を所定の間隔で連結した連結杆３と、前記架橋部材２それぞれの両端部に折り曲げ可能に設けられたコの字型嵌合部４を有する。前記架橋部材２は、大きさのやや異なるコの字型をなす断面を有する２つの部材からなり、大きいコの字型部材２−１の一端部に小さいコの字型部材２−２の一端部を開口部が同じ向きとなるように嵌め込み、ボルト等により折り曲げ可能に連結する。【選択図】図１
0003128650.tif 000002
【実用新案登録請求の範囲】
【請求項１】
立て看板の本体脚部と支持体脚部との幅固定用連結具であって、
中央部が折り曲げ可能な左右一対の架橋部材と、
上記架橋部材の中央部近傍において、一対の架橋部材を所定の間隔で連結するよう支持体脚部側に設けた連結杆とからなり、
上記架橋部材それぞれの両端を折り曲げ可能に立て看板の横棧に取り付け、
上記架橋部材を水平方向に伸ばすことで立て看板の脚部幅を一定幅に固定することができるようにしたことを特徴とする立て看板の脚部幅固定用連結具。
【請求項２】
上記架橋部材それぞれの両端は、コの字型嵌合部を折り曲げ可能に取り付けられており、
上記コの字型嵌合部を立て看板の横棧に水平方向に嵌め込み、コの字の底面に設けた蝶ネジにより嵌合固定させるようにしたことを特徴とする請求項１に記載の立て看板の脚部幅固定用連結具。
【考案の詳細な説明】
【技術分野】
【０００１】
この考案は、立て看板の脚部幅を固定する連結具に関する。
【背景技術】
【０００２】
従前、一般的に立て看板の脚部幅は立て看板本体と支持脚との接続部における可動域で調整されていた。しかし上述した立て看板では、立て看板に吹き付ける風や設置場所の傾斜、何らかのものと衝突した際などに脚部幅が狭まり、立て看板自体が倒れやすくなってしまうという問題があった。そこで、立て看板の脚部幅を固定することを目的として、立て看板の一対の脚部の梁材間に架設された立て看板組立金具が提案されている。（実用新案登録第３０４８３８５号、特許文献１参照）
【特許文献１】実用新案登録第３０４８３８５号公報
【考案の開示】
【考案が解決しようとする課題】
【０００３】
上記特許文献１の組立金具は、立て看板の本体脚部の梁材に金具一端部を固定し、支持脚の梁材に金具他端部を引掛け固定する構造をなしている。しかし上記組立金具は、架設する部位が１枚の板状をしているため立て看板を畳む際に十分に上まであげないと折り畳むことができず、効率的ではない。また、立て看板を折り畳む際に立て看板表示部と組立金具とに手を挟まれてしまう可能性もあり危険である。さらに、組立金具の引掛け部の構造も安易で、梁材から外れてしまう危険性もある。
【０００４】
そこで、本考案は、折り畳み容易であって、折り畳む際の手を挟むといった危険を回避でき、立て看板に設置容易であり、それでいて外れにくい構造により立て看板の安定性を向上させることができる新規の立て看板脚部幅固定用連結具を提供することを目的としている。
【課題を解決するための手段】
【０００５】
上述した課題を解決するために、本考案に係る立て看板の脚部幅固定用連結具は、
立て看板の本体脚部と支持体脚部との幅固定用連結具であって、
中央部が折り曲げ可能な左右一対の架橋部材と、
上記架橋部材の中央部近傍において、一対の架橋部材を所定の間隔で連結するよう支持体脚部側に設けた連結杆とからなり、
上記架橋部材それぞれの両端を折り曲げ可能に立て看板の横棧に取り付け、
上記架橋部材を水平方向に伸ばすことで立て看板の脚部幅を一定幅に固定することができるようにしたことを特徴としている（請求項１）。
【０００６】
また、上記架橋部材それぞれの両端は、コの字型嵌合部を折り曲げ可能に取り付けられており、
上記コの字型嵌合部を立て看板の横棧に水平方向に嵌め込み、コの字の底面に設けた蝶ネジにより嵌合固定させるようにしたことをも特徴としている（請求項２）。
【考案の効果】
【０００７】
本考案に係る脚部幅固定用連結具は、連結具両端のコの字型嵌合部に設けた蝶ネジにより立て看板の脚部横棧に確実に固定することができ、連結具を平面状（直線）にすることで脚部幅を固定することができる。
また、その際は連結具が平面状であるから連結具上部に重石等を載せて立て看板の安定性をさらに高めることも可能である。
さらに、連結具中央部が折り曲げ自在であって中央部近傍に設けた連結杆を手または足で持ち上げることにより容易に折り曲げることができ、連結杆を連結具中央部の支持脚側に設けたので、立て看板を折り畳む際に立て看板の表示部と連結杆との隙間を確保し手を挟む危険をも回避することができる。
【考案を実施するための最良の形態】
【０００８】
以下、図面に基づいて本考案に係る実施の形態について詳細に説明する。
図１（a），（b）は、本考案に係る立て看板の脚部幅固定用連結具の正面図および側面図である。図２は、図１に示した架橋部材の中央部の拡大図である。図３は、図１に示した架橋部材端部のコの字型嵌合部の拡大図である。図４は、本考案に係る脚部幅固定用連結具を立て看板の横棧に取り付け、脚部幅が固定された状態の側面図である。図５は、図４に示した脚部幅固定用連結具の要部拡大図である。図６は、本考案に係る脚部幅固定用連結具を立て看板の横棧に取り付け、立て看板を折り畳む過程での要部拡大図である。図７は、図６に示した脚部幅固定用連結具の要部拡大斜視図である。
【０００９】
図１（a），（b）は、本考案に係る立て看板の脚部幅固定用連結具の正面図および側面図である。図示した連結具１は、左右一対の架橋部材２と、前記左右一対の架橋部材２を所定の間隔で連結した連結杆３と、前記架橋部材２それぞれの両端部に折り曲げ可能に設けられたコの字型嵌合部４を有する。前記架橋部材２は、大きさのやや異なるコの字型をなす断面を有する２つの部材からなり、大きいコの字型部材２−１の一端部に小さいコの字型部材２−２の一端部を開口部が同じ向きとなるように嵌め込み、ボルト等により折り曲げ可能に連結する。このような構成をとる左右一対の架橋部材２は、中央部近傍の大きいコの字型部材２−１側において所定の間隔で連結杆３により連結されている。また、前記左右一対の架橋部材２は、それぞれの両端部にコの字型嵌合部４を折り曲げ可能に連結している。前記コの字型嵌合部４はその断面がコの字型をなしており、一側面に蝶ネジ４−２をねじ込むネジ穴４−１を設けている。
【００１０】
なお、上記連結具１を立て看板等に設置する際は、連結具１の大きいコの字型部材２−１側を立て看板の支持体脚部に設置し、他端の小さいコの字型部材２−２側を本体脚部に設置する。こうすることで、連結具１を折り曲げる際に、立て看板の表示部と連結杆３との間に所定の隙間が生じ、手を挟むことなく安全に立て看板を折り畳むことができる（図７参照）。
また、連結杆３は手で持ち上げることで連結具１を容易に折り曲げることができる。
さらに、足を連結杆３に引っ掛けて持ち上げることで上体をわざわざ屈ませることなく連結具１を折り曲げることも可能であり、最小限の労力により立て看板を折り畳むことができるようになる。
【００１１】
図２は、図１に示した架橋部材の中央部の拡大図である。図示した架橋部材２は、大きいコの字型部材２−１と小さいコの字型部材２−２からなり、大きいコの字型部材２−１の一端部に小さいコの字型部材２−２の一端部を開口部が同じ向きとなるように嵌め込み、ボルト等により折り曲げ可能に連結している。このときの折り曲げ可動域は大小のコの字型部材２−１，２−２が直線状態から、一方向に折り曲げられた状態までである。
なお、立て看板に連結具１を設置した際、上記大小のコの字型部材２−１，２−２が直線状態のときに立て看板の脚部幅が固定される。このとき連結具１の上部に重石等を置くことで立て看板の重心が低くなりさらに安定した状態を維持することができる。
【００１２】
図３は、図１に示したコの字型嵌合部４の拡大図である。図示した嵌合部４は、断面がコの字型をなし、一方の側壁外面と架橋部材２の端部が接するように、折り曲げ可能に連結している。また、他方の側壁には適宜ネジ穴４−１とネジ穴４−１にねじ込む蝶ネジ４−２を設けている。
【００１３】
図４は、本考案に係る脚部幅固定用連結具を立て看板の横棧に取り付け、脚部幅が固定された状態の側面図である。図５は、図４に示した脚部幅固定用連結具の要部拡大図である。図示した脚部幅固定用連結具１は、立て看板１０の本体脚部１１及び支持体脚部１２の横棧１３にそれぞれ上記コの字型嵌合部４を水平方向に嵌め込み、嵌合部４の下部側壁から蝶ネジ４−２で固定している。ここで、脚部幅固定用連結具１の架橋部材２を直線状態にすると、立て看板１０の脚部幅を安定して固定することができる。これにより強風や何らかのものにぶつかられようとも立て看板１０の脚部幅がずれることがなくなり、立て看板１０が倒れることなく起立状態を維持することができる。このとき、直線状態の連結具１の上部に重石等を載せることで立て看板１０の重心が低くなり、さらに安定した状態を維持することができる。
【００１４】
図６は、本考案に係る脚部幅固定用連結具を立て看板の横棧に取り付け、立て看板を折り畳む過程での要部拡大図である。図７は、図６に示した脚部幅固定用連結具の要部拡大斜視図である。図示した連結具１は、架橋部材２の中央部で折り曲げた状態である。連結具１の折り曲げに関しては、架橋部材２の中央部近傍に設けられた連結杆３を手または足で上方に持ち上げることで容易に折り曲げることができ、すなわち容易に立て看板１０を折り畳むことができるのである。
このとき、前記連結杆３が立て看板１０の背面に向かって手前側、すなわち大きいコの字型架橋部材２−１側に設置されているため、連結具１を折り曲げた際に立て看板の表示部１３と連結杆３との間に手を挟んでしまうといった危険を回避することができる。また、前記連結杆３は足で引っ掛けて持ち上げても容易に連結具１を折り曲げることができ、したがって上体を屈めなくても容易に立て看板１０を折り畳むことができ効率的である。
【００１５】
なお、上記においてはコの字型嵌合部を用いた場合について説明したが、架橋部材を直接立て看板の横棧に折り曲げ可能に取り付けることもできる（請求項１）。
【産業上の利用可能性】
【００１６】
本考案の連結具は、上述したように立て看板の脚部幅を固定することを目的としているが、例えば立て看板に限らず曲げ伸ばし機構を備えたものに適用できることは言うまでもない。
【図面の簡単な説明】
【００１７】
【図１】（a），（b）は、本考案に係る立て看板の脚部幅固定用連結具の正面図および側面図である。
【図２】図１に示した架橋部材の中央部の拡大図である。
【図３】図１に示した架橋部材端部のコの字型嵌合部の拡大図である。
【図４】本考案に係る脚部幅固定用連結具を立て看板の横棧に取り付け、脚部幅が固定された状態の側面図である。
【図５】図４に示した脚部幅固定用連結具の要部拡大図である。
【図６】本考案に係る脚部幅固定用連結具を立て看板の横棧に取り付け、立て看板を折り畳む過程での要部拡大図である。
【図７】図６に示した脚部幅固定用連結具の要部拡大斜視図である。
【符号の説明】
【００１８】
１      連結具
２      左右一対の架橋部材
２−１  大きいコの字型部材
２−２  小さいコの字型部材
３      連結杆
４      コの字型嵌合部
４−１  ネジ穴
４−２  蝶ネジ
１０    立て看板
１１    本体脚部
１２    支持体脚部
１３    表示部
【図１】
0003128650.tif 000003
【図２】
0003128650.tif 000004
【図３】
0003128650.tif 000005
【図４】
0003128650.tif 000006
【図５】
0003128650.tif 000007
【図６】
0003128650.tif 000008
【図７】
0003128650.tif 000009